(57)【要約】【課題】  スペースを有効利用して、二次電池の設置場所を柔軟に設定することができる蓄電システムを提供する。【解決手段】  施設内に配置された複数の電池モジュール５０ａ〜５０ｎと、外部電源（例えば商用電源２００）の電力を用いて電池モジュールを充電する充電モード又は電池モジュールから施設内に設置された機器３００に電力を供給する放電モードの切替・選択を行なう制御手段（例えば制御回路４０）と、電池モジュールからの直流電力を交流電力に変換すると共に外部電源からの交流電力を直流電力に変換する交直変換手段（例えば交直変換回路２０）と、複数の電池モジュールと交直変換手段との間にそれぞれ設けられて、すべての電池モジュールの充電・放電を所定の電圧で行なうよう各電池モジュールの電圧を調整するための電圧調整手段（例えば電圧調整回路３０）とを具備する。【選択図】      図１
2007209092.tif 000002
【特許請求の範囲】
【請求項１】
施設内に設置されて、外部電源により充電され、前記外部電源と共にあるいは単独で前記施設内に設置された機器に電力を供給する蓄電システムであって、
前記施設内に配置された複数の電池モジュールと、
前記外部電源の電力を用いて前記電池モジュールを充電する充電モード又は前記電池モジュールから前記施設内に設置された機器に電力を供給する放電モードの切替・選択を行う制御手段と、
前記電池モジュールからの直流電力を交流電力に変換すると共に前記外部電源からの交流電力を直流電力に変換する交直変換手段と、
前記複数の電池モジュールと前記交直変換手段との間にそれぞれ設けられて、すべての電池モジュールの充電・放電を所定の電圧で行うよう各電池モジュールの電圧を調整するための電圧調整手段とを
具備することを特徴とする蓄電システム。
【請求項２】
請求項１に記載の蓄電システムにおいて、
前記電池モジュールは、複数のユニット化された二次電池を具備し、
前記複数のユニット化された各二次電池は、直列又は並列で互いに接続することができることを特徴とする蓄電システム。
【請求項３】
請求項１又は２に記載の蓄電システムにおいて、
前記制御手段は、深夜時間帯に前記電池モジュールを充電させ、深夜時間帯以外に前記電池モジュールを放電させることを特徴とする蓄電システム。
【請求項４】
請求項１〜３の何れかに記載の蓄電システムにおいて、
前記交直変換手段は、前記外部電源からの電力の供給停止を検知する機能を有し、前記外部電源からの電力の供給停止を検知した際に、前記電池モジュールを放電させて前記施設内に設置された機器に電力を供給することを特徴とする蓄電システム。
【発明の詳細な説明】
【技術分野】
【０００１】
本発明は、施設内に設置されて、外部電源により充電され、外部電源と共にあるいは単独で、その施設内に設置された機器に電力を供給する蓄電システムに関する。
【背景技術】
【０００２】
近年、環境問題やエネルギー問題などの観点から、電力需要の少ない夜間電力などを用いて二次電池に電力を蓄電し、電力需要が高まる昼間に、その蓄電した電力を供給して電力需要を賄うシステムが知られている。
【０００３】
すなわち、電力需要が少なく、かつ単位電力量当たりの電気料金が低廉な夜間電力を蓄電して、電力需要が高い昼間に蓄電された電力を放電することにより、全体的な電力需要を平準化することで、エネルギーを有効利用することを狙ったものである。（特許文献１参照）。
【０００４】
【特許文献１】特開平６−１３７６５１号公報
【発明の開示】
【発明が解決しようとする課題】
【０００５】
しかしながら、上述したようなシステムでは、ある程度の蓄電量を有する大きな二次電池を用いているので、施設内にそのような二次電池を設置するために、纏まった大きなスペースを用意しなければならないという問題があった。
【０００６】
本発明は、上述した事情に鑑み、スペースを有効利用して、二次電池の設置場所を柔軟に設定することができる蓄電システムを提供することを目的とする。
【課題を解決するための手段】
【０００７】
上記課題を解決する本発明の第１の態様は、施設内に設置されて、外部電源により充電され、前記外部電源と共にあるいは単独で前記施設内に設置された機器に電力を供給する蓄電システムであって、前記施設内に配置された複数の電池モジュールと、前記外部電源の電力を用いて前記電池モジュールを充電する充電モード又は前記電池モジュールから前記施設内に設置された機器に電力を供給する放電モードの切替・選択を行う制御手段と、前記電池モジュールからの直流電力を交流電力に変換すると共に外部電源からの交流電力を直流電力に変換する交直変換手段と、前記複数の電池モジュールと前記交直変換手段との間にそれぞれ設けられて、すべての電池モジュールの充電・放電を所定の電圧で行うよう各電池モジュールの電圧を調整するための電圧調整手段とを具備することを特徴とする蓄電システムにある。
【０００８】
かかる第１の態様に記載の蓄電システムでは、スペースを有効利用して、二次電池の設置場所を柔軟に設定することができる蓄電システムを提供することができる。
【０００９】
本発明の第２の態様は、第１の態様に記載の蓄電システムにおいて、前記電池モジュールは、複数のユニット化された二次電池を具備し、前記複数のユニット化された各二次電池は、直列又は並列で互いに接続することができることを特徴とする蓄電システムにある。
【００１０】
かかる第２の態様に記載の蓄電システムでは、施設内のさらに小さなスペースを有効利用することによって、まとまった設置場所を確保することなく、容易に蓄電システムを設置することができる。
【００１１】
本発明の第３の態様は、第１又は第２の態様に記載の蓄電システムにおいて、前記制御手段は、深夜時間帯に前記電池モジュールを充電させ、深夜時間帯以外に前記電池モジュールを放電させることを特徴とする蓄電システムにある。
【００１２】
かかる第３の態様では、より効率的にエネルギーを有効利用することができる。
【００１３】
本発明の第４の態様は、第１〜３の何れかの態様に記載の蓄電システムにおいて、前記交直変換手段は、前記外部電源からの電力の供給停止を検知する機能を有し、前記外部電源からの電力の供給停止を検知した際に、前記電池モジュールを放電させて前記施設内に設置された機器に電力を供給することを特徴とする蓄電システムにある。
【００１４】
かかる第４の態様では、蓄電システムを非常用電源として利用することができる。
【発明の効果】
【００１５】
本発明によれば、施設内に大きなスペースを必要としない蓄電システムを提供することができる。
【発明を実施するための最良の形態】
【００１６】
以下、本発明を実施するための最良の形態について説明する。なお、本実施形態の説明は例示であり、本発明は以下の説明に限定されない。
【００１７】
（実施形態１）
図１は、本発明の実施形態１に係る蓄電システムを示す概略図である。図１に示すように、蓄電システム１は一般住居などの施設内に設置されて、外部電源である商用電源２００と施設内に設置された機器３００とに接続されている。そして、蓄電システム１は、商用電源２００からの電力により充電され、商用電源２００と共にあるいは単独で、施設内に設置された機器３００に電力を供給することができるようになっている。
【００１８】
蓄電システム１は、電池モジュール５０ａ〜５０ｎと、配線６０ａ〜６０ｎを介して電池モジュール５０ａ〜５０ｎと接続される交直変換部１０とを具備しており、交直変換部１０を介して、電池モジュール５０ａ〜５０ｎと、商用電源２００及び施設内に設置された機器３００とが接続されるようになっている。
【００１９】
交直変換部１０は交流電力と直流電力とを変換する交直変換回路２０を有しており、商用電源２００から供給された交流電力を直流電力に変換して電池モジュール５０ａ〜５０ｎに供給することにより、電池モジュール５０ａ〜５０ｎを充電することができると共に、電池モジュール５０ａ〜５０ｎから供給された直流電力を交流電力に変換して施設内に設置された機器３００に供給することができるようになっている。なお、本実施形態の交直変換回路２０は交直変換手段に該当する。
【００２０】
また、交直変換部１０は制御回路４０を有しており、商用電源２００の電力を用いて電池モジュール５０ａ〜５０ｎを充電する充電モード、電池モジュール５０ａ〜５０ｎから施設内に設置された機器３００に電力を供給する放電モード、及び電池モジュール５０ａ〜５０ｎの蓄電状態を保持させる待機モードの切替・選択を行うことができるようになっている。なお、本実施形態の制御回路４０は制御手段に該当する。
【００２１】
さらに、交直変換部１０は、配線５０ａ〜５０ｎ上に各電池モジュール５０ａ〜５０ｎに対応する電圧調整回路３０を具備しており、充電する際に電池モジュール５０ａ〜５０ｎに印加される電圧や、放電する際に電池モジュール５０ａ〜５０ｎから出力される電圧を所定の電圧に調整することができるようになっている。すなわち、図１に示すように、交直変換部１０と電池モジュール５０ａ〜５０ｎとを接続する配線６０ａ〜６０ｎの長さがそれぞれ異なるので、配線６０ａ〜６０ｎにおける電圧降下により交直変換部１０の出力電圧が低下し、交直変換部１０から電池モジュール５０ａ〜５０ｎに印加される電圧がそれぞれ異なってしまうことになる。また、各電池モジュール５０ａ〜５０ｎの出力電圧も同様の影響を受けてしまうことになる。そこで、各電池モジュール５０ａ〜５０ｎに対応する電圧調整回路３０を交直変換部１０にそれぞれ具備させることにより、蓄電システム１を充電する際には、配線６０ａ〜６０ｎにおける電圧降下により低下する電圧分だけ交直変換部１０の出力電圧を昇圧して、交直変換部１０から電池モジュール５０ａ〜５０ｎに印加される電圧をそれぞれ所定の電圧にすることができるようになっている。また、同様にして、蓄電システム１から電力を供給する際には、配線６０ａ〜６０ｎにおける電圧降下により低下する電圧分だけ各電池モジュール５０ａ〜５０ｎの出力電圧を昇圧して、電池モジュール５０ａ〜５０ｎから交直変換部１０に出力される電圧をそれぞれ所定の電圧にすることができるようになっている。なお、本実施形態の電圧調整回路３０は電圧調整手段に該当する。
【００２２】
このように交直変換部１０を構成することにより、電池モジュール５０ａ〜５０ｎが均等に充電・放電することができるので、効率的に電池モジュール５０ａ〜５０ｎの充電・放電をすることができる。
【００２３】
なお、本実施形態の電圧調整回路３０は電池モジュール５０ａ〜５０ｎの出力電圧の経年変化の特性を考慮した電圧データマップを具備しており、その電圧データマップに基づいて、電池モジュール５０ａ〜５０ｎが経年変化しても最適な電圧で電池モジュール５０ａ〜５０ｎの充電・放電を行うことができるようになっている。したがって、初期設定をした後で、電池モジュール５０ａ〜５０ｎの出力電圧の経年変化に対する電圧調整回路３０の再調整などを行う必要がないようになっている。
【００２４】
交直変換部１０に接続される電池モジュール５０ａ〜５０ｎは、図２に示すような電池ユニット７０を複数具備しており、施設内のデッドスペースなどにそれらの電池ユニット７０を適切に組み合わせて分散配置することにより、施設内の小さなスペースを有効利用することによって、まとまった設置場所を確保することなく、容易に蓄電システム１を構築することができるようになっている。具体的には、図３に示すように、施設内のスペースに合わせて電池ユニット７０を垂直方向に配置したり、図４に示すように、施設内のスペースに合わせて電池ユニット７０を水平方向に配置したり、さらにはそれらを組み合わせることにより、施設内のスペースに合わせて様々な形状の電池モジュール５０ａ〜５０ｎを形成することができるようになっている。
【００２５】
また、電池ユニット７０同士は、電池モジュール５０ａ〜５０ｎの形状に影響されることなく、直列にも並列にも接続することができるので、電池ユニット７０の接続状態を変更することにより、電池モジュール５０ａ〜５０ｎの電圧及び蓄電量を任意に設定できるようになっている。
【００２６】
なお、電池モジュール５０ａ〜５０ｎは保護装置５５を具備しており、電池モジュール５０ａ〜５０ｎの過充電や過放電が生じないようになっている。
【００２７】
電池モジュール５０ａ〜５０ｎを構成する電池ユニット７０は、図２に示すように、立方形を形成する枠体７１と枠体７１内に固定される立方状の二次電池７２とからなっており、二次電池７２に障害が生じた場合には、二次電池７２を容易に交換することができるようになっている。
【００２８】
次に、蓄電システム１を構成する各構成要素について説明する。交直変換部１０は、交直変換回路２０と、電池モジュール５０ａ〜５０ｎに対応する複数の電圧調整回路３０と、制御回路４０とを具備し、電池モジュール５０ａ〜５０ｎと、商用電源２００及び施設内に設置された機器３００とを接続することができるものであれば特に限定されない。
【００２９】
交直変換回路２０は、交流電力を直流電力に変換することができると共に、直流電力を交流電力に変換することができるものであれば特に限定されない。交直変換回路２０としては、例えば代表的なものとして、サイリスタ変換装置がある。サイリスタ変換装置は、サイリスタの位相角θ（度）を０＜θ＜９０とすることにより、ＡＣ／ＤＣ（交流−直流）変換器として機能させ、サイリスタの位相角θ（度）を９０≦θ＜１８０とすることにより、ＤＣ／ＡＣ（直流−交流）変換器として機能させることができるようになっている。
【００３０】
電圧調整回路３０は、電池モジュール５０ａ〜５０ｎから交直変換回路２０に供給される電圧を所定の電圧に調整することができ、かつ交直変換回路２０から各電池モジュール５０ａ〜５０ｎに供給される電圧を所定の電圧に調整することができるものであれば特に限定されない。電圧調整回路３０としては、例えばトランジスタなどのスイッチング素子の導通時間を制御して電圧を調整するチョッパ回路などが挙げられる。
【００３１】
制御回路４０は、商用電源２００の電力を用いて電池モジュール５０ａ〜５０ｎを充電する充電モード又は電池モジュール５０ａ〜５０ｎから施設内に設置された機器３００に電力を供給する放電モードの切替・選択を行うことができるものであれば特に限定されない。制御回路４０としては、例えば蓄電システム１のモードを切り替えることができるスイッチング素子などが挙げられる。ここで、モードとは、例えば蓄電システム１の充電を行う際の充電モードと、蓄電システム１の放電を行う際の放電モードと、蓄電システム１と商用電源２００とを電気的に切り離す待機モードなどが挙げられる。具体的には、充電モードとは、蓄電システム１と商用電源２００とを電気的に接続し、商用電源２００からの交流電力を蓄電システム１に供給して蓄電システム１の電池モジュール５０ａ〜５０ｎを充電させるモードをいう。また、放電モードとは、蓄電システム１と施設内に設置された機器３００とを電気的に接続し、蓄電システム１の電池モジュール５０ａ〜５０ｎを放電させて施設内に設置された機器３００に交流電力を供給させるモードをいう。そして、待機モードとは、蓄電システム１と商用電源２００及び施設内に設置された機器３００とを電気的に分離し、蓄電システム１の電池モジュール５０ａ〜５０ｎの蓄電状態を保持させるモードをいう。
【００３２】
電池モジュール５０ａ〜５０ｎは、電池ユニット７０と保護装置５５とを具備することができるものであれば特に限定されない。
【００３３】
電池ユニット７０は互いに直列・並列に接続することができるものであれば特に限定されず、例えば枠体７１が鉄製で、二次電池７２が鉛蓄電池やＬｉ電池からなるものなどであってもよい。
【００３４】
保護装置５５は、電池モジュール５０ａ〜５０ｎの過充電や過放電を生じさせないように機能するものであれば特に限定されない。保護装置５５としては、例えば電池モジュール５０ａ〜５０ｎの電圧をそれぞれ測定して、ある電池モジュールの電圧が過充電の指標として設定された電圧以上になった場合や、過放電の指標として設定された電圧以下になった場合に、交直変換部１０とその電池モジュールとを電気的に分離して、それ以上の充電や放電を行わないようするスイッチング素子などであってもよい。
【００３５】
配線６０ａ〜６０ｎは電池モジュール５０ａ〜５０ｎと交直変換部１０とを接続することができるものであれば特に限定されず、銅線などであってもよい。
【００３６】
次に、本実施形態に係る蓄電システム１の動作について説明する。まず、充電時における蓄電システム１の動作について説明する。図５は、充電時における蓄電システム１のシーケンスを示す図である。図５に示すように、交直変換部１０が充電モードに設定されると（Ｓ１−１）、商用電源２００から交流電力が交直変換部１０に供給される（Ｓ１−２）。すると、供給された交流電力は、交直変換部１０内に設けられた交直変換回路２０により、直流電力に変換される（Ｓ１−３）。そして、変換された直流電力は、電圧調整回路３０により、各電池モジュール５０ａ〜５０ｎに印加される電圧が所定の電圧になるように調整され（Ｓ１−４）、すべての電池モジュール５０ａ〜５０ｎが完全に充電されるまで、その所定の電圧に調整された直流電力が各電池モジュール５０ａ〜５０ｎに供給される（Ｓ１−５）。
【００３７】
次に、放電時における蓄電システム１の動作について説明する。図６は、放電時における蓄電システム１のシーケンスを示す図である。図６に示すように、交直変換部１０が放電モードに設定されると（Ｓ２−１）、各電池モジュール５０ａ〜５０ｎから直流電力が出力される（Ｓ２−２）。そして、出力された直流電力は、電圧調整回路３０により、交直変換回路２０に供給される際の電圧が所定の電圧になるように調整され（Ｓ２−３）、その調整された直流電力が交直変換回路２０に供給される。すると、供給された直流電力は、交直変換回路２０により、交流電力に変換されて（Ｓ２−４）、すべての電池モジュール５０ａ〜５０ｎに蓄電された電力が完全に放電されるまで、施設内の機器に供給される（Ｓ２−５）。
【００３８】
（実施形態２）
実施形態１では、交直変換部１０内に各電池モジュール５０ａ〜５０ｎに対応する電圧調整回路３０を設けることで、施設内の小さなスペースを有効利用することによって、まとまった設置場所を確保することなく、容易に蓄電システム１を構築できるので好適であるが、図７に示すように、電圧調整回路３０を各電池モジュール５０ａ〜５０ｎに設けるようにしてもよい。このようにしても、実施形態１と同様の効果が得られる。
【００３９】
（他の実施形態）
実施形態１及び２において、充電は夜間に深夜電力を用いて行い、放電は昼間に行うようにしてもよい。このようにすることにより、より効率的にエネルギーを有効利用することができる。ここで、深夜電力は特に限定されないが、例えば電力事業者が設定している単位電力量当たりの料金が低廉に設定されている時間帯の電力などをいう。
【００４０】
また、制御回路４０に商用電源２００からの電力の供給停止を検知する機能を具備させ、商用電源２００からの電力の供給停止を検知した際に、電池モジュール５０ａ〜５０ｎを放電させて施設内に設置された機器３００に電力を供給するように設定してもよい。このようにすることにより、蓄電システム１、１Ａを非常用電源としても利用することができる。
【００４１】
実施形態１及び２では、電池モジュール５０ａ〜５０ｎとして複数の電池ユニットを具備するものを用いたが、本発明の電池モジュールはこれに限定されず、例えば単独の二次電池を用いてもよい。
【００４２】
また、実施形態１及び２では、外部電源として商用電源を用いたが、本発明の外部電源はこれに限定されず、例えば太陽発電施設、風量発電施設、又は地熱発電施設などを外部電源としてもよい。
【００４３】
さらに、実施形態１及び２では、商用電源２００から供給された交流電力は制御回路４０に供給された後で交直変換回路２０に供給されるようになっているが、交直変換回路２０に供給された後で制御回路４０に供給されるようにしてもよい。すなわち、制御回路４０と交直変換回路２０とを交換して配置してもよい。このようにしても、同様の効果が得られる。
【図面の簡単な説明】
【００４４】
【図１】実施形態１に係る蓄電システムを示す概略図である。
【図２】実施形態１に係る電池ユニットを示す概略斜視図である。
【図３】実施形態１に係る電池ユニットの組み合わせの例を示す概略斜視図である。
【図４】実施形態１に係る電池ユニットの組み合わせの例を示す概略斜視図である。
【図５】実施形態１に係る蓄電システムの充電時の動作のシーケンスを示す図である。
【図６】実施形態１に係る蓄電システムの放電時の動作のシーケンスを示す図である。
【図７】実施形態２に係る蓄電システムを示す概略図である。
【符号の説明】
【００４５】
１  蓄電システム
１０  交直変換部
２０  交直変換回路
３０  電圧調整回路
４０  制御回路
５０ａ-５０ｎ  電池モジュール
５５  保護装置
６０ａ-６０ｎ  配線
７０  電池ユニット
７１  枠体
７２  二次電池
２００  商用電源
３００  施設内に設置された機器
【図１】
2007209092.tif 000003
【図２】
2007209092.tif 000004
【図３】
2007209092.tif 000005
【図４】
2007209092.tif 000006
【図５】
2007209092.tif 000007
【図６】
2007209092.tif 000008
【図７】
2007209092.tif 000009